(57)【特許請求の範囲】
【請求項１】
略矩形状に形成された複数の部材を連結して組み立てられる吊り棚の連結構造において、
前記背板には、天端から下方に延びる背板屈曲部が設けられ、前記背板屈曲部は、少なくとも、鉛直面と一定角度を有するように前後方向のいずれかの方向に傾斜する第１傾斜面と、前記第１傾斜面と反対方向に傾斜する第２傾斜面とを有し、
前記天板には、後端から下方に延びる天板屈曲部が設けられ、前記天板屈曲部は前記背板屈曲部に沿う第１傾斜面及び第２傾斜面とを有するとともに前記背板屈曲部の先端部を囲繞するように曲折された係止片を有することを特徴とする吊り棚。
【請求項２】
側板の前端内方には、後方に開口する断面略コ字状の屈曲部が設けられ、
前記天板の前端には、下方に折り曲げられた前縁部が設けられ、
前記側板の屈曲部に前記天板の前縁部が当接することにより、前記天板における正面方向への移動が規制されるようになっていることを特徴とする請求項１に記載の吊り棚。
【請求項３】
前記天板の前縁部には、前記側板の屈曲部の先端に対向するようにスリットが形成され、前記側板の屈曲部の先端が前記天板のスリットに嵌入することにより、前記側板上側の外方向への移動が規制されるようになっていることを特徴とする請求項２に記載の吊り棚。
【請求項４】
前記側板の上端には、下方に開口する断面略コ字状の屈曲部が設けられ、
前記天板の両側辺には、上方に開口する断面略コ字状の屈曲部が設けられ、
前記天板の両側辺の屈曲部と前記側板の屈曲部がそれぞれ係合するようになっていることを特徴とする請求項１ないし３のいずれかに記載の吊り棚。
【発明の詳細な説明】
【技術分野】
【０００１】
本発明は、天井または壁等に対し取り付けられる吊り棚に関する。
【背景技術】
【０００２】
従来、天板を天井面にビス止めするとともに、天板と側板とがビス止めや接着剤によって連結されるようになっている吊り棚がある。（以下、「従来技術１」という。例えば、特許文献１参照）。
【０００３】
しかしながら、従来技術１の吊り棚にあっては、天板と側板との連結に、ビス止めや接着剤による連結が必要となるため、天板と側板との連結がビス止めや接着剤による連結力に頼ることになり、組み立てが煩雑になる問題があった。
【先行技術文献】
【特許文献】
【０００４】
【特許文献１】特開２００２−６５３７６号公報
【発明の概要】
【発明が解決しようとする課題】
【０００５】
本発明は、上記のような従来技術の問題点を解決するためになされたもので、天板と側板との連結に、ビス止めや接着剤による連結を必要とせず、簡単に組み立てを行うことができる吊り棚を提供することを目的とする。
【課題を解決するための手段】
【０００６】
前記課題を解決するために、本発明の吊り棚は、
略矩形状に形成された複数の部材を連結して組み立てられる吊り棚の連結構造において、
前記背板には、天端から下方に延びる背板屈曲部が設けられ、前記背板屈曲部は、少なくとも、鉛直面と一定角度を有するように前後方向のいずれかの方向に傾斜する第１傾斜面と、前記第１傾斜面と反対方向に傾斜する第２傾斜面とを有し、
前記天板には、後端から下方に延びる天板屈曲部が設けられ、前記天板屈曲部は前記背板屈曲部に沿う第１傾斜面及び第２傾斜面とを有するとともに前記背板屈曲部の先端部を囲繞するように曲折された係止片を有することを特徴としている。
この特徴によれば、背板屈曲部に対し天板屈曲部が嵌合されるだけで、簡単に背板と天板との組み立てを行うことができる。また、背板および天板の第１傾斜面および第２傾斜面により両者の上下方向の相対移動が規制され、かつ、天板屈曲部の係止片により両者の前後方向の相対移動が規制されるため、背板から天板が脱落することを防止できる。したがって、背板と天板との連結にビス止めや接着剤による連結を必要とすることなく、簡単に組み立てを行うことができる。さらに、天板を天井に吊支するようにして使用する場合、天板屈曲部の係止片により、背板を確実に吊り上げることができる。
【０００７】
本発明の吊り棚は、
側板の前端内方には、後方に開口する断面略コ字状の屈曲部が設けられ、
前記天板の前端には、下方に折り曲げられた前縁部が設けられ、
前記側板の屈曲部に前記天板の前縁部が当接することにより、前記天板における正面方向への移動が規制されるようになっていることを特徴としている。
この特徴によれば、天板の正面方向への移動を規制することができ、側板と天板、背板と天板との連結を強固なものとすることができる。
【０００８】
本発明の吊り棚は、
前記天板の前縁部には、前記側板の屈曲部の先端に対向するようにスリットが形成され、前記側板の屈曲部の先端が前記天板のスリットに嵌入することにより、前記側板上側の外方向への移動が規制されるようになっていることを特徴としている。
この特徴によれば、側板上側が外方向へ開くのを規制することができ、側板と天板との連結をより強固にすることができる。
【０００９】
本発明の吊り棚は、
前記側板の上端には、下方に開口する断面略コ字状の屈曲部が設けられ、
前記天板の両側辺には、上方に開口する断面略コ字状の屈曲部が設けられ、
前記天板の両側辺の屈曲部と前記側板の屈曲部がそれぞれ係合するようになっていることを特徴としている。
この特徴によれば、側板の上端に設けられた屈曲部が、天板の側板に設けられた屈曲部にそれぞれ係合するため、２枚の側板がそれぞれ離間する方向に移動するのを防止することができる。また、天板を天井に吊支するようにして使用する場合、天板の側板に設けられた屈曲部により、側板を確実に吊り上げることができる。
【図面の簡単な説明】
【００１０】
【図１】本発明における吊り棚の斜視図である。
【図２】吊り棚における天板を示す斜視図である。
【図３】吊り棚における背板を示す斜視図である。
【図４】吊り棚における側板を示す斜視図である。
【図５】側板の前部と天板の前部との係合関係を示す拡大斜視図である。
【図６】天板と背板の連結を示す側断面図である。
【図７】天板と側板の連結を示す正断面図である。
【図８】天板と背板の連結における変形例を示す側断面図である。
【発明を実施するための形態】
【実施例１】
【００１１】
実施例に係る吊り棚１について、図１から図７を参照して説明する。
【００１２】
図１は、本発明における吊り棚１の斜視図であり、吊り棚１は天井若しくは壁に対し取り付けられるものである。図１において、吊り棚１は、略矩形状に形成された天板５、背板１２、側板１５，１５、底板Ｓおよび棚板２０を連結して組み立てられている。本発明は、特に、吊り棚１における天板５と背板１２および側板１５，１５との連結に関するものである。
【００１３】
図２および７に示すように、天板５は、金属板を折り曲げ加工して形成され、本体５０の幅方向両側には、天端から下方に折り曲げられた側縁部５１に続いて上方に開口する断面略コ字状の屈曲部３１が設けられ、また、前端には、下方に折り曲げられた前縁部２９が設けられ、さらに、図６にも示すように、後端には、下方に延びる天板屈曲部４９が設けられている。
【００１４】
前縁部２９の幅方向両端部にはスリット１９，１９、および切欠き４３，４３がそれぞれ設けられている。天板屈曲部４９は、図６に示すように、後述する背板１２の背板屈曲部４６に沿う第１傾斜面４９ａ、第２傾斜面４９ｂ、第３傾斜面４９ｃ及び背板屈曲部４６の先端部を囲繞するように曲折された係止片４９１を有する。
【００１５】
図３に示すように、背板１２は金属板を折り曲げ加工して形成され、本体１２０の幅方向両側には、それぞれ内側に折り曲げられた側縁部１２１が設けられ、該側縁部１２１の端部から延長され、内側に折り曲げられて背板補強部２４、２４が形成されている。また、図３および６に示すように、本体１２０の天端１２４から下方に延びる背板屈曲部４６が設けられている。背板屈曲部４６は、鉛直面と一定角度を有するように後方に傾斜する第１傾斜面４６ａ、該第１傾斜面４６ａと反対方向に傾斜する第２傾斜面４６ｂ、及び該第２傾斜面４６ｂと反対方向に傾斜する第３傾斜面４６ｃを有している。図３および６では、第１傾斜面４６ａが後方に傾斜したものが示されているが、これに限らず、前方に傾斜させてもよく、その場合、第２傾斜面４６ｂ及び第３傾斜面４６ｃは、図６と反対方向に傾斜される。
【００１６】
図４に示すように、側板１５は金属板を折り曲げ加工して形成され、本体１５０の前端内方には、後方に開口する断面略コ字状の屈曲部４７が設けられ、後端には、内側に折り曲げられた背板側縁部１５２が設けられ、上端内方には、下向きに開口する断面略コ字状の屈曲部４５が設けられている。前端内方の屈曲部４７の上方には後方に向かう規制突片５５が設けられ、天板５のスリット１９に嵌入されるようになっている。また、該規制突片５５の下方には天板支持部４８が設けられている。
【００１７】
続いて、吊り棚における天板の連結工程を図５から図７を用いて説明する。
【００１８】
まず、側板１５，１５と天板５との連結を行う。詳しくは図５に示すように、収納家具１内側より天板５正面側を持ち上げ、天板の側板に設けられた屈曲部３１および切欠き４３を係合させるとともに、側板１５に設けられる側板の上端に設けられた屈曲部４５に係合させる。続いて天板の側板に設けられた屈曲部３１および切欠き４３を側板の上端に設けられた屈曲部４５にそれぞれ係合させたまま、天板５を側板１５における屈曲部４７方向に褶動させ、前縁部２９両端に設けられたスリット１９に対し規制突片５５を嵌入させる。このとき、屈曲部４７に対し、天板５の端部が当接し、天板５における正面方向への移動が規制されるようになっている。
【００１９】
さらに、上述した屈曲部４７に対する天板５の端部の当接完了と同時に、天板における前縁部の底部２９１（図２参照）が天板規制突片５５の下方に設けられた天板支持部４８の上端に当接するようになっており、天板１２正面側の下方への脱落を規制するようになっている。なお、説明における便宜上、片方の側板１５と天板５の幅方向片側の連結のみで説明しているが、他方の側板１５も同じ態様で、ほぼ同時に連結されるようになっている。
【００２０】
次に、図６に示すように、天板５の背板側を持ち上げ、天板屈曲部４９を背板屈曲部４６に対し押圧することで、天板屈曲部４９と背板屈曲部４６それぞれを押圧変形させ、形状復帰により互いに嵌合させる。
【００２１】
詳しくは、天板屈曲部４９は第１傾斜面４９ａ，第２傾斜面４９ｂ，第３傾斜面４９ｃの３面の傾斜面と、第３傾斜面４９ｃより延設された係止片４９１により構成されており、同じく背板屈曲部４６は第１傾斜面４６ａ，第２傾斜面４６ｂ，第３傾斜面４６ｃの３面の傾斜面により構成されている。天板屈曲部４９と背板屈曲部４６の嵌合の際、天板の第１傾斜面４９ａが背板の第１傾斜面４６ａと、天板の第２傾斜面４９ｂが背板の第２傾斜面４６ｂと、天板の第３傾斜面４９ｃが背板の第３傾斜面４６ｃとが当接するとともに、係止片４９１の側面に背板屈曲部端面４６１（背板屈曲部の端部）が当接するようになっている。
【００２２】
なお、本実施例においては、係止片４９１に背板屈曲部端面４６１が当接するように説明されているが、この限りではなく、図８に示すように背板屈曲部４６が背板の第３傾斜面４６ｃの先に、さらに第４傾斜面４６ｄが延設されて、天板の第４傾斜面４９ｄが背板の第４傾斜面４６ｄと当接するような態様にしてもよい。
【００２３】
また、図７に示すように、天板屈曲部４９と背板屈曲部４６の嵌合完了時と同時に、天板の側板に設けられた屈曲部３１が、側板の上端に設けられた屈曲部４５，４５にそれぞれ係合するようになっている。
【００２４】
以上説明したように、背板屈曲部４６に対し天板屈曲部４９が嵌合されるだけで、簡単に背板１２と天板５との組み立てを行うことができる。また、背板１２の第１傾斜面４６ａ，第２傾斜面４６ｂおよび天板５の第１傾斜面４９ａ，第２傾斜面４９ｂにより両者の上下方向の相対移動が規制され、かつ、天板屈曲部４９の係止片４９１により両者の前後方向の相対移動が規制されるため、背板１２から天板５が脱落することを防止できる。したがって、背板１２と天板５との連結にビス止めや接着剤による連結を必要とすることなく、簡単に組み立てを行うことができる。さらに、天板５を天井に吊支するようにして使用する場合、天板屈曲部４９の係止片４９１により、背板１２を確実に吊り上げることができる。
【００２５】
側板１５の前端内方には、後方に開口する断面略コ字状の屈曲部４７が設けられ、天板５の前端には、下方に折り曲げられた前縁部２９が設けられ、側板の屈曲部４７に前記天板の前縁部２９が当接することにより、天板５における正面方向への移動が規制されるようになっているため、側板１５，１５と天板５、背板１２と天板５との連結を強固なものとすることができる。
【００２６】
側板の屈曲部４７の先端が天板のスリット１９に嵌入することにより、側板１５上側の外方向への移動が規制されるようになっているため、側板１５，１５上側が外方向へ開くのを規制することができ、側板１５，１５と天板５との連結をより強固にすることができる。
【００２７】
側板の上端に設けられた屈曲部４５が、天板の側板に設けられた屈曲部３１にそれぞれ係合するため、２枚の側板１５，１５がそれぞれ離間する方向に移動するのを防止することができる。また、天板５を天井に吊支するようにして使用する場合、天板の側板に設けられた屈曲部により、側板１５，１５を確実に吊り上げることができる。
【００２８】
以上、本発明の実施形態を図面により説明してきたが、具体的な構成はこれら実施形態に限られるものではなく、本発明の要旨を逸脱しない範囲における変更や追加があっても本発明に含まれる。
【符号の説明】
【００２９】
１                吊り棚
５                天板
１２              背板
１５              側板
１９              スリット
２５              側板補強部
２９              前縁部
３１              天板の側板に設けられた屈曲部
４５              側板の上端に設けられた屈曲部
４６              背板屈曲部
４７              屈曲部
４８              天板支持部
５５              規制突片
【図１】
0005804929.tif 000002
【図２】
0005804929.tif 000003
【図３】
0005804929.tif 000004
【図４】
0005804929.tif 000005
【図５】
0005804929.tif 000006
【図６】
0005804929.tif 000007
【図７】
0005804929.tif 000008
【図８】
0005804929.tif 000009